Podtech/llm-jp-corpus-v4-ja_patent huggingface dataset:
(57)【要約】      （修正有）【課題】地面から反発する振動をキャスター自体の中で吸収緩和した上で車体に伝え、且つ、車体が傾いても全方向の荷重を吸収できるキャスターを提供する。【解決手段】手押し車の車輪軸２が支持枠５に渡し架けて成るキャスターの車輪軸孔１の内部に、車輪基軸２の外側全面に添って周回する形で渦巻き板バネを設けて副軸３を形成し、車輪基軸と副軸たる渦巻き板バネとの二重軸構造を構成する。車輪から伝わる衝撃振動は、基軸と車輪軸孔内壁との狭い間隔空間の幅域の中に振幅が抑制され、常に副軸を介して全方向に緩和調整される。【選択図】図３
0003221901.tif 000002
【実用新案登録請求の範囲】
【請求項１】
手押し車の車輪軸が支持枠に渡し架けて成るキャスターの車輪軸孔内部において、車輪基軸の外側全面に添って周回する形で渦巻き板バネが設けられて、車輪基軸と副軸たる渦巻き板バネとの二重軸構造を成し、車輪から伝わる衝撃振動は、基軸と車輪軸孔内壁との狭い間隔空間の幅域の中に振幅が抑制され、常に副軸を介して全方向に緩和調整されることを特徴とする二重軸構造の車輪軸を備えたキャスター。
【考案の詳細な説明】
【技術分野】
【０００１】本考案は、手押し車等の振動を吸収緩和する二重軸構造の車輪軸を備えたキャスターに関するものである。
【背景技術】
【０００２】  従来、車輪軸が支持枠に渡し架けて成るキャスターにおいて、車輪の振動を吸収する緩衝部位は、車輪によって支えられる車体とキャスターとの間に設けてあるのが普通であった。
車輪軸孔内部に上下に複層した板バネ式の弾性車輪軸を設けた先行技術も知られている（特許文献１参照）。
【先行技術文献】
【特許文献】
【０００３】
【特許文献１】特許第６１７８６８０号公報
【考案の概要】
【考案が解決しようとする課題】
【０００４】  従来、車体とキャスターとの関係は、車輪の振動が直に車体に伝わり、それによって車体が揺れ動き、車輪軸に懸かった車体荷重の重力がスプリングを介して車体に反発するので、ガタゴト音を伴うとげとげしい揺れ方は和らぐが、車体の揺れの振幅そのものは一層増幅され、載せ荷への衝撃を和らげるためには、荷台内にも緩衝材を設けたりする必要もあった。特許文献１に示される先行技術は、特に車体全体が傾いた時は、スプリングも車輪も傾き、垂直方向に懸かる荷重は、スプリングによっては吸収され難い。また、車輪軸そのものの摩耗度合いも大きかった。
本考案は、これらの問題点を解決するために為されたものである。
【課題を解決するための手段】
【０００５】  手押し車の車輪軸が支持枠に渡し架けて成るキャスターの車輪軸孔内部において、車輪基軸の外側全面に添って周回する形で渦巻き板バネが設けられて、車輪基軸と副軸たる渦巻き板バネとの二重軸構造を成し、車輪から伝わる衝撃振動は、基軸と車輪軸孔内壁との狭い間隔空間の幅域の中に振幅が抑制され、常に副軸を介して全方向に緩和調整される。
以上を特徴とする二重軸構造の車輪軸を備えたキャスターである。
【考案の効果】
【０００６】  車輪の振動が車体に伝わる前に、車輪軸自体が車輪軸孔内において渦巻き板バネによって直接的な振動が吸収緩和され、その緩和された振動が車体に伝わることになるので、車体の揺れそのものが小さくなり、載せ荷の受ける衝撃も小さい。
また、車輪軸孔内が複層板バネ式の先行技術によっては、垂直方向の上下振動には有効であっても、車体が傾いた時には効果が半減するのに対し、本考案によれば、車輪軸孔内において、基軸たる車輪軸全面を周回して渦巻き板バネ式の副軸が設けてあるので、車体荷重の上下方向のみならず、全方向に対して吸収緩和の効果を十分に発揮できる。それが同時に基軸の摩耗度合いをも緩和する。
【図面の簡単な説明】
【０００７】
【図１】  本考案の一部である車輪軸孔内における副軸の正面及び側面を示す断面図
【図２】  本考案の一部である車輪軸孔内における二重軸構造を側面から見た断面図
【図３】  本校案の全体を示す断面図
【図４】  本考案の一部である二重軸構造を、荷重がかかった状態を側面から見て示した断面図
【図５】  本考案の一部である副軸たる渦巻き板バネを正面から見て示した断面図
【考案を実施するための形態】
【０００８】  押し車の車輪軸が支持枠（５）に渡し架けて成るキャスターの車輪軸孔（１）内部において、車輪基軸（２）の外側全面に添って周回する形で渦巻き板バネが設けられて副軸（３）を成し、車輪基軸（２）と副軸（３）たる渦巻き板バネとの二重軸構造を成し、車輪（４）から伝わる衝撃振動は、基軸と車輪軸孔内壁との狭い間隔空間の幅域において、常に副軸を介して全方向に緩和調整される。
本考案は、以上の様な構成である。
本考案で成るキャスターを備えた手押し車が荷物を載せて進む時、車輪軸孔内の二重軸構造によって、地面から反発して車輪（４）に伝わる振動が車体に伝わる前に、渦巻き板バネによって直接的な振動が吸収緩和され、車輪基軸（２）はその緩和された振動を車体に伝えることになるので、車体の揺れそのものが小さくなり、載せ荷の受ける衝撃も小さい。
また、車輪軸孔内が複層板バネ式の先行技術によっては、垂直方向の上下振動には有効であっても、車体が傾いた時には効果が半減するのに対し、本考案によれば、車輪軸孔（１）内において、車輪基軸（２）全面を周回して渦巻き板バネ式の副軸（３）が設けてあるので、車体荷重の上下方向のみならず、全方向に対して吸収緩和の効果を十分に発揮できる。それが同時に車輪基軸（２）の摩耗度合いをも緩和する。
【符号の説明】
【０００９】  １  車輪軸孔
２  車輪基軸
３  副軸
４  車輪
５  支持枠
【図１】
0003221901.tif 000003
【図２】
0003221901.tif 000004
【図３】
0003221901.tif 000005
【図４】
0003221901.tif 000006
【図５】
0003221901.tif 000007
(57)【要約】      （修正有）【課題】バラや柑橘類や樹木の枝等の手入れの際にトゲ・枝等に対し袖口から肘までの腕部分を保護するための腕カバーを提供する。【解決手段】保護するために皮革あるいは人工的な皮膜１等を用い腕の太さに柔軟に対応するために凸テープ４を袖口裏側に付着し、表側に４列の面ファスナーメス２、裏側に１列の面ファスナーオス３を腕巻き付け時にクロスするように付着し、腕への装着が安易で袖口側の綴じ力が継続的で袖口が開かず又、緩まず使用性が安定するようにする。【選択図】図５
0003222809.tif 000002
【実用新案登録請求の範囲】
【請求項１】
手首から肘までの長さに皮革あるいは人工的な皮膜等の弾性に富んで柔軟性のある棘や枝等に対し防御性がある膜状のシートを用い、そのシートの袖口側の裏に自己巻き付き性を有する凸テープを付着し、シートの表側・裏側に面ファスナーを腕への巻き付け時にクロスするように設け、腕カバーの腕への装着が安易で袖口側の綴じ力が継続的で袖口が開かず又、緩まず使用性が安定するように配置した園芸用防棘腕カバーである。
【考案の詳細な説明】
【技術分野】
【０００１】  本考案は、皮革あるいは人工的な皮膜等・パッチンバンドのような凸テープ・面ファスナーからなる園芸用防棘腕カバーに関する。
【背景技術】
【０００２】  皮革あるいは人工的な皮膜等のトゲ等に対する防御性、パッチンバンドのような凸テープの自己巻き付き性、面ファスナーの脱着性が知られている。
【考案の概要】
【考案が解決しようとする課題】
【０００３】  従来の腕カバーは素材が布やビニールでバラなどの鋭いトゲや樹木の枝などから腕を防ぐことはできなかった。
また、形状が筒状のものや手袋と一体型のものなどで脱着が容易ではなく、腕の太さに柔軟に対応できていなかった。
【課題を解決するための手段】
【０００４】  本考案は腕を保護するために皮革あるいは人工的な皮膜等を用いること。
腕の太さに柔軟に対応するため自己巻き付き性のある凸テープを皮革あるいは人工的な皮膜等の裏側の袖口部分に付着し袖口から肘までの腕部分に巻き付けるために面ファスナー（メス）を表側に４列、面ファスナー（オス）を裏側に１列を装着時にメスとオスとがクロスするうに付着・配置し、これにより上記課題を解決するものである。
【考案の効果】
【０００５】  本考案に係る園芸用防棘腕カバーは、皮革あるいは人工的な皮膜等の防御性、凸テープの自己巻き付き性、面ファスナーの脱着性を活用して腕部分の防御能力・自身での装着時の安易で袖口側の綴じ力が継続的で袖口が開かず又、緩まず使用性が安定する実用性に優れたものである。
【図面の簡単な説明】
【０００６】
【図１】本考案に係る右腕部分の表側である
【図２】本考案に係る右腕部分の裏側である
【図３】本考案に係る左腕部分の表側である
【図４】本考案に係る左腕部分の裏側である
【図５】本考案の一実施の形態における防棘腕カバーの左腕の全体斜視図である。
【考案を実施するための形態】
【０００７】  図１に示すように、皮革あるいは人工的な皮膜等の表側に４列の面ファスナー（メス）を付着する。次に、図２に示すように、裏側に面ファスナー（オス）を腕に巻き付けた際に表側とクロスするように付着する。
裏側には袖口部分にくるように凸テープを付着する。
左腕用のカバーも右腕とは逆の位置に同様に付着する。
【符号の説明】
【０００８】  １  皮革あるいは人工的な皮膜等
２  面ファスナー（メス、表側）
３  面ファスナー（オス、裏側）
４  凸テープ（袖口裏側）
【図１】
0003222809.tif 000003
【図２】
0003222809.tif 000004
【図３】
0003222809.tif 000005
【図４】
0003222809.tif 000006
【図５】
0003222809.tif 000007
(57)【要約】      （修正有）【課題】成長過程にある児童の体力不足を解消して、遊びを通じてインドアからアウトドアへの転換を図り、体力の向上に寄与するための遊具を提供する。【解決手段】外周全体が溝状に形成した遊具本体の、上部両端に周縁リブ１を設けて、リングが回転する際の接地を安定化する効果を持たせる。リングの両側縁２は遊具に回転力を与えるための棒状部材が、遊具本体から外れないための働きを持たせる。リング溝の底辺３には、等間隔に突起４を設けることで底辺部３に凹凸をつけ、リングが回転する際にリズミカルな音を出すことが出来る。【選択図】図４
0003222810.tif 000002
【実用新案登録請求の範囲】
【請求項１】
外周全体が溝状に形成され溝の底辺に一定の間隔をおいて突起部を設けた遊具において、前記遊具を回す棒状部材の突起部への衝突により音が生じる事を特徴とする遊具。
【考案の詳細な説明】
【技術分野】
【０００１】本考案は玩具に関するものである。
【背景技術】
【０００２】過去には、自転車の部品であるリムを棒を使って廻し、走りまわる遊びがあったが、専用の遊具として提供されたものはなかった。
【考案の概要】
【考案が解決しようとする課題】
【０００３】リムを棒で押して走りまわる遊びは、自転車の部品を利用しているに過ぎず、専用の遊具ではなく、簡単に入手出来るものでもない。当考案は単なるリング廻しではなく、遊びの中に音を楽しむ要素を導入するための工夫をして、付加価値を高めた遊具を提供しようとするものである。
【考案を実施するための手段】
【０００４】当考案は、リングを回転させて走行する遊びに使用するものであって、使用方法はリング外周溝の内側に棒状部材をあて、リングの下方から上方へ回転力を加えて前方に回転させる。溝の底辺部には、等間隔に突起部を形成して、走行する時に突起を設けたことによって出来る凹凸と、棒状部材との摩擦でリズミカルで軽快な音を生じつつリングが倒れることなく連続走行することを可能にする。
【図面の簡単な説明】
【０００５】
【図１】本考案に係る遊具の平面図
【図２】図１のＡ−Ａ線断面拡大図
【図３】図２の底辺平面図
【図４】本考案に係る遊具の一例の部分斜示図
【図５】本考案に係る遊具の使用状態を示す図
【符号の説明】
【０００６】１  周縁リブ
２  側縁
３  底板
４  突起
【図１】
0003222810.tif 000003
【図２】
0003222810.tif 000004
【図３】
0003222810.tif 000005
【図４】
0003222810.tif 000006
【図５】
0003222810.tif 000007
(57)【要約】      （修正有）【課題】必要に応じて目隠ししてプライバシーを守り、通気性を調節可能であり、四季や好み、趣味に合わせ容易に取換えることが出来るベランダの目隠し装置を提供する。【解決手段】ベランダの手摺り２００の内側又は外側において設置する装置において、手摺りの上下及び両サイドに掛けるフックを矩形枠１０２に設け、前記矩形枠内に回転開閉可能にした竪型短冊式の開閉シャッターを収容した。【選択図】図１
0003222897.tif 000002
【実用新案登録請求の範囲】
【請求項１】
ベランダの手摺りの内側又は外側において設置する目隠し装置において、手摺りの上下及び両サイドに掛けるフックを矩形枠に設け、前記矩形枠内に回転開閉可能にした竪型短冊式の開閉シャッターを収容したことを特徴とするベランダの目隠し装置。
【考案の詳細な説明】
【技術分野】
【０００１】本考案は一般住宅及びマンション、アパートなどの集合住宅等の設けるベランダの目隠し装置に関する一般住宅及びマンション、アパートなどの集合住宅等の設けるベランダにおける消音と通風調節及び風除け更に目隠しして見られたくない場所や物件の目隠しなどプライバシーを守り、また日除けのために、ベランダの手摺りにすだれや板状のものが立てかけて使用されている。
スダレはベランダに吊るすと場所を取り邪魔になったり、美観を損なう。
また金属製或いは木製の板材、金属製のラス網、石膏ボード等の板状のものは鉄柵に取り付け固定される。【０００３】金属製の板材やラス網を目隠し材に用いると、重量増が顕著になり、防錆処理（塗膜形成）等の手間が余分に必要になり、価格も高くつく。また金属製板材ではベランダの床部から漏水した水を排水することが出来ず、床部や目隠し材が早期に朽ちてしまう。
石膏ボードを目隠し材に使うと染みが石膏ボードの性質によって給水性が高くなり、染みが発生したり、漏水した水を排水させることが出来ない。
木製の板材を目隠しに用いると、施工が面倒でありまた漏水した水を排水させることが出来ない。【０００３】このため最近はベランダの手摺りに複雑な専用構造の取付機構により、高額なローラー式で上に巻き上げ又は下に巻きだす膜状の物や横方向に折り畳む蛇腹式のカーテンやルーパラティスなどが用いられている。
【考案の開示】
【考案が解決しようとする課題】
【０００４】  本考案はこのような従来における問題を解決し必要に応じて目隠ししてプライバシーを守り、通気性を調節可能であり、四季や好み、趣味に合わせ容易に取換えることが出来るベランダの目隠し装置を提供する。
【課題を解決するための手段】
【０００６】本考案は、前記課題を解決する技術的手段として次の（１）を特徴とするものである。
（１）、ベランダの手摺りの内側又は外側において設置する装置において、手摺りの上下及び両サイドに掛けるフックを矩形枠に設け、前記矩形枠内に回転開閉可能にした竪型短冊式の開閉シャッターを収容したことを特徴とするベランダの目隠し装置。
【考案の効果】
【０００７】  本考案のベランダの装置は、前記特徴に記載のように簡単な構成により、必要に応じて目隠ししてプライバシーを守り、通気性を調節可能であり、四季や好み、趣味に合わせ容易に取換えることが出来る優れた作用効果を呈する。
【図面の簡単な説明】
【０００８】
【図１】本考案のベランダの装置の実施例を示す正面説明図である。
【図２】図１の矢視Ａ−Ａからみた平面説明図である。
【図３】図１の矢視Ｂ−Ｂからみた横断面説明図である。
【考案を実施するための態様】
【０００９】本考案の実施態様は、図１〜図３に示す実施例により詳細に説明する。
【実施例１】
【００１０】図１〜図３において、ベランダの装置１００は、ベランダの手摺り２００の内側又は外側において設置するが本例は外側に配置した例である。【００１１】ベランダの装置１００は、手摺り２００の上下及び両サイドに掛けるフック１０１を図３に示すように矩形枠１０２の上下左右に装着する。【００１２】フック１０１は、手摺りの上梁２０１と下張２０２の各両サイドに掛ける上鍵型部１０１−１と、この上鍵型部１０１−１の後端に回転可能に連結して上梁２０１及び下張２０２を囲んで上鍵型１０１−１の先部に連結してネジ止めし、上梁２０１又は下張２０２を締める下鍵型部１０１−２とからなる。
簡易なフックとしては前記上鍵型部１０１−１のみでも強度的に十分である。【００１３】前記矩形枠１０２内には、回転開閉可能にした多数の竪型短冊１０３により構成した開閉シャッターを収容する。【００１４】開閉シャッターの竪型短冊１０３は、矩形枠１０２の上枠１０２−１に上端部の回転軸１０４を回転可能に装着し、下枠１０２−２に下端部の回転軸１０５を回転可能に装着する。【００１５】これら竪型短冊１０３の上端部の回転軸１０４は歯車１０６を装着し、この歯車１０６は矩形枠１０２の上枠１０２−１に設けた牽引操作チェーン１０７を介して回転ハンドル１０８に連結してある。【００１６】回転ハンドル１０８の回転操作により歯車１０６を回転して竪型短冊１０３の全部を同時に回転させて全閉操作及び全開操作と開度を調節操作を行う。
図１〜図３に示す竪型短冊１０３の状態は、半開状態にしてある。【００１７】本考案における開閉シャッターのチェーン歯車式の開閉機構の例は一例でありこれに限定するものではなく他に、チェーンに代わってリンクバー連結式や等の開閉機構を適宜採用すればよい。
【産業上の利用可能性】
【００１８】本考案のベランダの装置は前述の優れた作用効果を呈するものであり、これにより従来一般住宅及びマンション、アパートなどの集合住宅の建設産業に貢献すること多大なものである。
【符号の説明】
【００１９】１００：目隠し装置
２００：ベランダの手摺り
１０１：フック
１０２：矩形枠
２０１：手摺りの上梁
２０２：手摺りの下張
１０１−１：上鍵型部
１０１−２：下鍵型部
１０３：竪型短冊
１０４、１０５：回転軸
１０６：歯車
１０７：牽引操作チェーン
１０８：回転ハンドル
【図１】
0003222897.tif 000003
【図２】
0003222897.tif 000004
【図３】
0003222897.tif 000005
(57)【要約】      （修正有）【課題】拡大鏡で顔をよく見ながら、アイメ−クをすることができる眼鏡型拡大鏡を提供する。【解決手段】眼鏡型拡大鏡のレンズを掛けたまま、レンズの左右片方ずつ跳ね上げられるようにする。レンズを跳ね上げた方の目に対してアイメークを施すことができる。【選択図】図２
0003222893.tif 000002
【実用新案登録請求の範囲】
【請求項１】
眼鏡型拡大鏡のレンズを掛けたまま、前記レンズの左右片方ずつ跳ね上げられるようにすることを特徴とする片方ずつ跳ね上げられる眼鏡型拡大鏡
【考案の詳細な説明】
【技術分野】
【０００１】本考案は、新聞や雑誌の細かい字を読んだり、工作や刺繍等細かい作業をする時に、両手が使える、眼鏡型の拡大鏡に関するものである。
【背景技術】
【０００２】社会の高齢化に伴い、視力が弱くなっている人が増加し、細かい字を読んだり、細かい作業をする時に両手の使える拡大鏡を、そのまま掛けたり、眼鏡の上から掛けたりすることが多くなってきている。また、レンズを跳ね上げることについては、眼鏡の上からかけるサングラスで両方のレンズを跳ね上げる技術が広く使われている。
【考案の概要】
【考案が解決しようとする課題】
【０００３】拡大鏡をしたまま、アイメ−クが出来ないし、拡大鏡を取ってアイメ−クをしようとしても、よく見えなくてうまく出来ない。また、鏡で大きく映るものがあるが、メ−クをしよしている部分は大きく映るが、全体のバランスを映そうとすると、距離を取らなければならないので、不便である。
【課題を解決するための手段】
【０００４】眼鏡型拡大鏡をかけたまま、跳ね上げたい方のレンズを片方ずつ跳ね上げる。
【考案の効果】
【０００５】化粧療法（メ−クセラピ−）には、心身を健康に導く、日常生活動作の維持・向上、認知症の予防・改善、ＱＯＬ（生活の質）の維持・向上等の効果がある。
【図面の簡単な説明】
【０００６】
【図１】眼鏡型拡大鏡を左右とも跳ね上げてない図
【図２】眼鏡型拡大鏡を左目の方だけ跳ね上げた図
【考案を実施するための形態】
【０００７】眼鏡型拡大鏡のレンズを掛けたまま、レンズの左右片方ずつ跳ね上げられるようにする。
【実施例】
【０００８】以下添付図に従って、一実施例を説明する。［図１］の１は、左右どちらのレンズも跳ね上げていない状態の眼鏡型拡大鏡である。［図２］の２は左目の方のレンズを跳ね上げた状態の拡大鏡である。レンズを跳ね上げた左目の方はアイメ−クを施すことができる。
【符号の説明】
【０００９】１眼鏡型拡大鏡のつる部分
２眼鏡型拡大鏡の跳ね上げ式レンズ部分
【図１】
0003222893.tif 000003
【図２】
0003222893.tif 000004
(57)【要約】      （修正有）【課題】ウォーキング等の動画撮影の際に手で持たなくても撮影でき、また体の中央にぶら下げることで左右の振れが小さくなり、ぶれの少ない動画を撮影できるウォーキングカメラを提供する。【解決手段】リング状になった首掛け１の一部に動画撮影デジタルカメラ２を設けることでウォーキングカメラを構成し、動画撮影デジタルカメラ２を首掛け式にする。【選択図】図１
0003222896.tif 000002
【実用新案登録請求の範囲】
【請求項１】
リング状になった首掛け（１）の一部に動画撮影デジタルカメラ（２）を設けたことを特徴とするウォーキングカメラ。
【考案の詳細な説明】
【技術分野】
【０００１】  本考案は、リング状になった首掛けの一部に動画撮影デジタルカメラを設けたウォーキングカメラに関するものである。
【背景技術】
【０００２】  従来のビデオカメラやデジタルカメラは、手に持ち使用するものだった。
しかし、近年ではデジタルカメラの軽量化により、リュックに固定したり、胸ポケットにさしたりして、手で持たなくても撮影できるものが出てきた。
しかしながら、胸ポケットやリュックに固定して使う動画撮影デジタルカメラでは、ウォーキング時に体が左右に振れることで撮影した動画がぶれてしまうという欠点があった。
【先行技術文献】
【特許文献】
【０００３】
【特許文献１】
【考案の概要】
【考案が解決しようとする課題】
【０００４】  本考案は、以上のような従来の欠点に鑑み、動画撮影デジタルカメラを首掛け式にすることで、ウォーキング等の動画撮影の際に手で持たなくても撮影でき、また体の中央にぶら下げることで左右の振れが小さくなり、ぶれの少ない動画を撮影できるウォーキングカメラを提供することを目的としている。
【課題を解決するための手段】
【０００５】  上記目的を達成するために、本考案は、リング状になった首掛け（１）の一部に動画撮影デジタルカメラ（２）を設けることで、ウォーキングカメラを構成している。
【考案の効果】
【０００６】  以上の説明から明らかなように、本考案は次の効果が得られる。
リング状になった首掛け（１）の一部に動画撮影デジタルカメラ（２）を設けることで、ウォーキング時に動画撮影デジタルカメラは体の中央にぶら下がり、左右の振れも小さくなる。
したがって、手で持たなくても、ぶれの少ない動画が撮影できる。
【図面の簡単な説明】
【０００７】
【図１】  本考案の斜視図である。
【考案を実施するための形態】
【０００８】以下、本考案を実施するための形態について説明する。
リング状になった首掛け（１）の一部に動画撮影デジタルカメラ（２）を設ける。防水機能を持たせるためレンズカバー（３）を設け、夜間も使用可能とするための光源（４）を設ける。
本考案は、以上のような構造である。
これを使用する時は、リングを首に掛けて動画を撮ればよい。
【符号の説明】
【０００９】  １  リング状首掛け
２  カメラ
３  レンズカバー
４  光源
【図１】
0003222896.tif 000003
(57)【要約】      （修正有）【課題】破風板に取り付ける散水タイプのもので、折版屋根に取り付ける、散水型の軒樋を提供する。【解決手段】軒樋は１枚板状であり、小口方向にムクリをつけ全体に貫通孔をあけ、その両端にリブ溝を設け一体成型した。【選択図】図１
0003222899.tif 000002
【実用新案登録請求の範囲】
【請求項１】
軒樋は1枚板状であり、小口方向にムクリをつけ全体に貫通孔をあける、その両端にリブ溝を設け一体成型したことを特徴とする軒樋。
【請求項２】
貫通孔の配列を千鳥列にしたことを特徴とする、請求項１記載の軒樋。
【請求項３】
軒樋を折板に取り付ける際の、専用吊金物を有することを特徴とする、請求項1記載の軒樋。
【請求項４】
軒樋を連結使用することのできるＨ型ジョイントを有することを特徴とする、請求項１記載の軒樋。
【考案の詳細な説明】
【技術分野】
【０００１】
軒樋には破風板に取り付ける散水タイプのものがある、本考案は折版屋根に取り付ける、散水型の軒樋である。
【背景技術】
【０００２】
従来の軒樋は、半円、箱型があり勾配を取り竪樋に接続して排水管よりＵ字溝や下水管に接続される。豪雨時にオーバーフローする原因の一つになる。近年、住宅向けの散水型軒樋が発明されたが、折板用のものはない。
【先行技術文献】
【特許文献】
【０００３】
【特許文献１】特許第6343110号
【考案の概要】
【考案が解決しようとする課題】
【０００４】
主に住宅の屋根に取り付ける散水タイプの軒樋がある、工場には折版屋根が多く、その面積は大きいものがある。雨水は竪樋を通じ排水管に接続される。本考案は大量の雨水を軒樋より散水して地面に戻し、河川の氾濫防止や地下水位の保全を目的とする、折板用軒樋である。
【課題を解決するための手段】
【０００５】
本軒樋は一枚板状で，全面に貫通孔をあけ、樋小口方向の両端にリブ溝を設けて雨を散水する。樋を折板に取り付ける際は、専用の吊金物を用いて取り付ける。樋よりの散水処理は樋下の地面に砕石を埋設し地中へと浸透させる。
【考案の効果】
【０００６】
散水型の軒樋を使用することにより、雨水は地表に浸透され地下水位の保全や、豪雨時にも雨水は排水されることはなく河川への氾濫防止にも貢献する。又、竪樋と雨水排水管工事も不要となる。集水器を不要とし塵の詰まることはない。
【図面の簡単な説明】
【０００７】
【図１】折板樋収まり断面図
【図２】樋立面図
【図３】樋平面図貫通孔千鳥列
【図４】樋平面図貫通孔並列
【図５】樋ジョイント立面図
【図６】樋ジョイント平面図
【図７】樋ジョイント左側面図
【考案を実施するための形態】
【０００８】
軒樋の形状を図２から図４に示し樋全面に貫通孔をあけ、両端にリブ溝を設け強度を増す。折板との取り付けは専用の吊金物を用い、樋の連続使用には本考案のジョイントを用いて連結し、従来同様の取り付けとなる。
【実施例】
【０００９】
図１は本考案の樋と吊金物を現す、折半屋根と建物との収まりを現す断面図
図２〜図４は樋の形状と貫通孔を現す形状図。
図5〜図７は樋ジョイントを現す形状図。
【産業上の利用可能性】
【００１０】
豪雨時に屋根の雨水を排水管に集中させることは文明の人災かもしれない。今後の災害を少しでも防止すること、地下水位の保全も必須と考える。
【符号の説明】
【００１１】
１  樋本体
２  リブ溝
３  貫通孔
４  ジョイント本体
５  差し込み部分
６  リブ部分
７  折板上部
８  折板下部
９  吊金物本体
１０  ボルトネジ部
１１  雨落し口
１２  座付きナット
１３  樋キャッチ部
１４  樋キャッチスライド部分
１５  止ビス
１６  建物外壁  
【図１】
0003222899.tif 000003
【図２】
0003222899.tif 000004
【図３】
0003222899.tif 000005
【図４】
0003222899.tif 000006
【図５】
0003222899.tif 000007
【図６】
0003222899.tif 000008
【図７】
0003222899.tif 000009
(57)【要約】      （修正有）【課題】家庭で使用する、アルミ缶潰し器を提供する。【解決手段】蓋のない上部の空いた箱１の前後の面に中央部の開いたガイドＡ３、ガイドＢ４を設置し押し込み板２に溝５を設置し、あらかじめ形を崩したアルミ缶を箱の中に横に倒して置く、ボトル缶を置くときには飲み口はガイドＡの間に缶を置き横滑りしないようにし、ガイドＡの上に溝をかけて押し込み板を置き、その板に片足を載せてから体重をかけ缶を潰す、体重が軽く力が十分にかからずボトル缶の飲み口を潰せない場合は板の抜きを変えて溝をガイドＢにかけ押し込み板に足を載せ体重をかけて胴の部分を先に潰し、板の向きを戻し飲み口を潰す。【選択図】図１
0003222898.tif 000002
【実用新案登録請求の範囲】
【請求項１】
蓋のない上部の空いた箱の前後の面をガイドとし中央が空いた形状にし、上から箱に押し込む板にガイドがはまる溝を設け、溝がガイドに沿って板を真下に降ろし、ガイドの開いた中央部分がコーヒーなどのボトル缶の飲み口を挟み横滑りするのを防ぎかつガイドの開いた中央部分が板の溝と溝の間の細い部分を下に通して缶を潰すことを特徴としたアルミ缶潰し器
【考案の詳細な説明】
【技術分野】
【０００１】  本考案は、家庭で使用する、アルミ缶潰し器に関するものである
【背景技術】
【０００２】  家庭用の空き缶潰し器は、長尺の金属など片方の端がつながった２枚の板で缶を挟み、板を踏み込んで缶を潰す、缶の上下を挟み上から踏み込んで潰すなど片足立ちになり浮かせた足で器具を踏み込んで缶を潰していた。
【先行技術文献】
【特許文献】
【０００３】
【特許文献１】特開２００２−３０７１９７
【特許文献２】実開平０５−０６０６９４
【非特許文献】
【０００４】
【非特許文献１】インターネット  尾上製作所通販  あき缶潰し機  つぶすくんＯＮ―２７５  ＪＡＮコード  ４９０７７９７００２７５９
【非特許文献２】インターネット  空き缶ペットボトルつぶしＡｍａｚｏｎ  旭電機化成（株）  ＮＥＷペットボトルつぶし器  ＡＰＥ―４０
【考案の概要】
【考案が解決しようとする課題】
【０００５】  これまでの空き缶を潰す器具を扱う動作は、片足立ちをして、浮かせた足を器具の上に乗せて力を込めて踏み込むため、不安定な体勢での作業となり、バランスを崩し転倒につながる可能性がある。柔らかい素材のアルミ缶も同様の動作で潰している。スチール缶やペットボトルなどを潰すことも目的にした潰し器は、強度や安定性を保つために、金属やプラスチックを厚くし長尺にしたり幅を広くするなど、アルミ缶を潰すために大きく重いものとなっている。器具が大きいことで安全面から作業のスペースを広く必要とする。アルミ缶潰し器を小さい箱型にし、箱にガイドをつけ押し込む板に溝をつけることで前述の欠点を解決しようとするものである。
【課題を解決するための手段】
【０００６】  蓋のない上部の空いた箱の前後の面に中央部が開いたガイドを設置し板には溝を設置し、あらかじめ形を崩したアルミ缶を箱の中に倒して置く、コーヒーなどのボトル缶を潰す場合は飲み口をガイドの間に置き缶が横滑りしないようにし、ガイドに溝をかけて板を置き、板に足を載せてから体重をかけて低い位置から箱の中で缶を押しつぶすことにより問題点を解決している。
【考案の効果】
【０００７】  上述の様に、本考案は低い位置で板に体重をかけ、小さな動きで箱の中の缶を潰すことで安全で容易にアルミ缶を潰すことは勿論、小型軽量化するこができ、持ち運びが簡単になり、家の中で場所をとらずに簡単に作業ができ、缶が空いた都度、手軽に潰すことができ、廃棄ゴミを縮小できる。小型でつくりが簡素であることから、製造費を抑えることができる。
【図面の簡単な説明】
【０００８】
【図１】本考案のアルミ缶潰し器の部品図である
【図２】予備作業としてのアルミ缶の潰し方の図である
【図３】本考案のアルミ缶潰し器で円筒缶を潰す作業の切断面図である
【図４】本考案のアルミ缶潰し器でボトル缶を潰す作業の切断面図である
【図５】本考案のアルミ缶潰し器でボトル缶の胴部を潰す作業の切断面図である
【図６】本考案のアルミ缶潰し器で潰れた円筒缶の図である
【図７】本考案のアルミ缶潰し器で潰れたボトル缶の図である
【考案を実施するための形態】
【０００９】  アルミ缶の胴部を軽く手で形状を崩しあらかじめ缶が潰れ易い形状にしておき、円筒缶の場合は上部と底部がハの字になるように軽く折り曲げ、ボトル缶の場合は底の丸い部分を軽く折り曲げ、床の上に置いた箱の中にアルミ缶を倒して入れる。ボトル缶の場合は飲み口を前方のガイドの間に置き、ガイドに溝を掛け板が箱から外れないようにし、板の上に片足を載せ体重をかけるとガイドに沿って板が真下に降りアルミ缶を潰す。
【実施例】
【００１０】  以下、添付図面に従って一実施例を説明する。１・２は木又はプラスチック等適宣素材にて形成された本体、７の円筒缶または８のボトル缶を手で軽く形状を崩し１の箱の中に入れる。７の円筒缶の場合は胴部を平らにし上部と底部をハの字にし、８のボトル缶」の場合は胴部を軽く潰し底の丸い部分を折り曲げる。【００１１】  ７の円筒缶を潰すときは３のガイドＡに５の溝を掛けて２の板を置き板の上に片足を載せ、体重をかけてるとガイドに溝がはまり２の板が真下に降りて缶が押し潰され、８のボトル缶を押しつぶすときは飲み口を３のガイドＡの間に置き横滑りしないようにし５の溝をガイドＡにかけて２の板を置き、板の上に片足を載せ６の首の部分周辺に体重をかけて硬い飲み口に力を集中させて缶を押し潰す。【００１２】  体重が軽く力が十分にかからずボトル缶の飲み口を潰せない場合は板の向きを変えて５の溝をガイドＢにかけ２の板を置き板に片足を載せて体重をかけて胴部を先に潰し、２の板の向きを戻してガイドＡに５の溝を掛けて板に体重をかけ飲み口を潰す。
【符号の説明】
【００１３】１  受け箱
２  押し込み板
３  ガイドＡ
４  ガイドＢ
５  溝
６  首
７  アルミ缶（円筒状）
８  アルミ缶（ボトル缶）
【図１】
0003222898.tif 000003
【図２】
0003222898.tif 000004
【図３】
0003222898.tif 000005
【図４】
0003222898.tif 000006
【図５】
0003222898.tif 000007
【図６】
0003222898.tif 000008
【図７】
0003222898.tif 000009
(57)【要約】【課題】美容学校や理容学校等の生徒等が美容・理容技術の練習・レッスンに興味をもって取りかかれるような技術レッスン用マネキン顔を提供する。【解決手段】  本考案による技術レッスン用マネキン顔は、美容および／または理容のための技術レッスン用マネキン顔であって、マネキン顔本体を備え、このマネキン顔本体の顔の造作が、人間の顔をデフォルメしたアニメ顔となっていることを特徴とする。  前記マネキン顔本体の頭部には、練習用毛髪が植設され、あるいはウイッグの形の練習用毛髪が設けられ、該練習用毛髪は、染色・脱色が可能な合成タンパク系繊維で形成されている。【選択図】図１
0003222846.tif 000002
【実用新案登録請求の範囲】
【請求項１】
美容および／または理容のための技術レッスン用マネキン顔であって、マネキン顔本体を備え、このマネキン顔本体の顔の造作が、人間の顔をデフォルメしたアニメ顔となっていることを特徴とする技術レッスン用マネキン顔。
【請求項２】
前記マネキン顔本体の頭部には、練習用毛髪が植設され、あるいはウイッグの形の練習用毛髪が設けられ、該練習用毛髪が、染色・脱色が可能な合成タンパク系繊維で形成された請求項１の技術レッスン用マネキン顔。
【請求項３】
前記練習用毛髪の密度が１００〜３００本/ｃｍ２である請求項２の技術レッスン用マネキン顔。
【請求項４】
マネキン本体が、塩化ビニル製またはシリコ−ン樹脂製である請求項１〜３のいずれかの技術レッスン用マネキン顔。
【請求項５】
毛髪のカット練習用である請求項１〜４のいずれかの技術レッスン用マネキン顔。
【請求項６】
毛髪の染色および/または脱色練習用である請求項１〜４のいずれかの技術レッスン用マネキン顔。
【請求項７】
メイキャップ練習用である請求項１〜４のいずれかの技術レッスン用マネキン顔。
【請求項８】
前記マネキン顔本体の顔の造作が老若男女等のバリエーションをセットとして備えている請求項１〜７のいずれかの技術レッスン用マネキン顔。
【考案の詳細な説明】
【技術分野】
【０００１】
本考案は、技術レッスン用マネキン顔に関し、更に詳細には、美容・理容分野における練習用として用いることのできる技術レッスン用マネキン顔に関する。
【背景技術】
【０００２】
上記技術レッスン用マネキン顔としては、例えば、特許文献１〜３に開示されているように、頭髪のカット練習を行うためのカット練習用マネキンウィッグ等が知られている。
また、実際に、頭髪のカット練習用に、カット練習用マネキンウィッグが販売されており、カット技術の向上のためには、必須の道具となっている。
【０００３】
以上のような技術レッスン用マネキン顔は、美容学校や理容学校で用いられることが多いが、従来の技術レッスン用マネキン顔の造作は、ありきたりのものが多かった。それ故、前記美容学校や理容学校の生徒に深く興味を抱かせるものではなく、したがって、技術獲得のため練習、レッスンにあまり熱意をもって取りかかれなかった。
【先行技術文献】
【特許文献】
【０００４】
【特許文献１】特開２０１０−３５８８９号公報
【特許文献２】特開２００−２８３８０号公報
【特許文献３】特開２００３−１６４３３０号公報
【考案の概要】
【考案が解決しようとする課題】
【０００５】
そこで、本考案の考案は、美容学校や理容学校等の生徒等が美容・理容技術の練習・レッスンに興味をもって取りかかれるような技術レッスン用マネキン顔を提供することを目的とするものである。
【課題を解決するための手段】
【０００６】
本考案の上記課題は、以下の（１）〜（８）の構造の本考案による技術レッスン用マネキン顔によって達成することができる。
（１）
美容および／または理容のための技術レッスン用マネキン顔であって、マネキン顔本体を備え、このマネキン顔本体の顔の造作が、人間の顔をデフォルメしたアニメ顔となっていることを特徴とする技術レッスン用マネキン顔。
（２）
前記マネキン顔本体の頭部には、練習用毛髪が植設され、あるいはウイッグの形の練習用毛髪が設けられ、該練習用毛髪が、染色・脱色が可能な合成タンパク系繊維で形成された請求項１の技術レッスン用マネキン顔。
（３）
前記練習用毛髪の植設密度が、１００〜３００本/ｃｍ２である前記（１）または（２）の練習兼展示用マネキン。
（４）
前記マネキン本体が、塩化ビニル製またはシリコーン樹脂製である前記（１）〜（３）のいずれかの練習兼展示用マネキン。
（５）
毛髪のカット練習用である前記（１）〜（４）のいずれかの練習兼展示用マネキン。
（６）
毛髪の染色および/または脱色練習用である前記（１）〜（４）のいずれかの練習兼展示用マネキン。
（７）
メイキャップ練習用である前記（１）〜（４）のいずれかの練習兼展示用マネキン。
（８）
前記マネキン顔本体の顔の造作が老若男女等のバリエーションをセットとして備えている前記（１）〜（７）のいずれかの技術レッスン用マネキン顔。
【考案の効果】
【０００７】
本考案の技術レッスン用マネキン顔においては、その顔の造作が、人間の顔をデフォルメしたアニメ顔となっているので、生徒等の興味を引き、ひいては、美容・理容の技術習得のための練習・レッスンに熱心に取り掛かるようになる。
【図面の簡単な説明】
【０００８】
【図１】本考案の実施の形態による技術レッスン用マネキン顔の正面図である。
【考案を実施するための形態】
【０００９】
以下、添付図面を参照しつつ、本考案の実施形態による技術レッスン用マネキン顔について説明する。
【００１０】
本考案の実施形態による技術レッスン用マネキン顔１０は、マネキン顔本体１２と、このマネキン顔本体１２の頭部１２ａに植設された練習用毛髪１４を備えている。このマネキン顔本体１２は、図に示したように、その顔の造作が実際の人間の顔をデフォルメしたアニメ顔とされている。ここでアニメ顔とは、例えば、目を例に取ってみると、目の横幅と縦幅がほぼ同一のようなものをいう。
【００１１】
前記マネキン顔本体１２は、全体が塩化ビニルやシリコーン樹脂のような人間の肌の感触に近い素材で形成されていることが好ましい。
【００１２】
前記練習用毛髪１４は、人毛もしくは染色・脱色が可能な合成タンパク系繊維で形成されていることが好ましい。
この練習用毛髪３０は、前記頭部１４の大きさに合わせた長さのものであることが好ましい。
また、前記練習用毛髪３０の植設密度は、実際の人間のものに合わせて１００〜３００本/ｃｍ２であることが好ましい。この密度が上記未満であると、臨場感にかけ、上記を越えると取扱にくくなる。なお、この練習用毛髪は、ウイッグ（カツラ）の形のものであってもよい。
【００１３】
本考案による技術レッスン用マネキン顔は、マネキン顔本体の顔の造作が老若男女等のバリエーションをセットとして備えていることが好ましい。
【００１４】
本技術レッスン用マネキン顔１０は、上記のような構造・形態であるので、毛髪のカット練習用、メイキャップ練習用、毛髪の染色・脱色練習用等として用いることができる。
【符号の説明】
【００１５】
１０  技術レッスン用マネキン顔
１２  マネキン顔本体
１２ａ  頭部
１４  練習用毛髪
【図１】
0003222846.tif 000003
(57)【要約】      （修正有）【課題】自転車の方向指示機で昼夜を問わず安全のため点灯信号を出し走行できる自転車を提供する。【解決手段】自動充電・電子・電波・電子ソーラー・電磁波等の電源装置を自転車に取り付け左スイッチ・右スイッチ・左前方、左後方指示機・右前方、右後方指示機を少なくとも備えた自転車で有って、親指で右スイッチ３Ａを押すと前と後の右側の指示ランプ２Ａが点灯、左スイッチ３Ｂを押すと前と後ろの左側の指示ランプ２Ｂが点灯し、又もう一度押すと消灯する。自転車に乗る人、歩行者や自動車等を運転する人々に自転車がどちらの方向に曲がろうとするのかを明確に知らせて分るようにする。【選択図】図１
0003222819.tif 000002
【実用新案登録請求の範囲】
【請求項１】
自動充電・電子・電波・電子ソーラー・電磁波等の電源装置を自転車に取り付け左スイッチ・右スイッチ・左前方、左後方指示機・右前方、右後方指示機を少なくとも備えた自転車で有って、親指で右スイッチを押すと前と後の右側の指示ランプが点灯、左スイッチを押すと前と後ろの左側の指示ランプが点灯し、又もう一度押すと消灯する事を特徴とする自転車。
【考案の詳細な説明】
【技術分野】
【０００１】本考案は、方向指示機を付けた自転車に関するものである。
【背景技術】
【０００２】自転車で走行中、前方・後方から来る歩行者及び自動車等を運転する者に左右どちらの方向に曲がるのか、確認できない状況であった。
【考案の概要】
【考案が解決しようとする課題】
【０００３】自動充電・電子・電子ソーラー・電波・電磁波を電源とする装置を自転車に取り付ける事により歩行者・自動車等を運転する者により安全性の高い自転車を提供しようとするものである。【０００４】自転車に方向指示機を付ける事により確認できるようにした。
【課題を解決するための手段】
【０００５】本考案は、自動充電・電子・電子ソーラ・電波・電磁波からの電源装置を取り付け、左右スイッチ・左前方、左後方指示機・右前方、右後方指示機それらを備えた自転車で有って、グリップを離す事なく操作出来るのが最大の特徴である。親指で右スイッチを押すと前方と後方の右指示ランプが点灯し、左スイッチを押すと前方と後方の左指示ランプが点灯し、又、もう一度押すと消灯する事を特徴とする。
【考案の効果】
【０００６】本考案は、自転車の方向指示機は簡単な取り付けにも係わらず人命を守ろうとするものである。
【図面の簡単な説明】
【０００７】
【図１】本考案の自転車の一実施例の図で有って、（ａ）は、自転車のグリップ部分を正面から見た状態を示す図である。（ｂ）は、自転車のグリップ部分を運転者側から見た状態を示す図である。
【図２】本自転車の側面図である。
【図３】本自転車の背面図である。
【図４】本自転車の後方に取付けられる方向指示機を示した拡大図である。
【考案を実施するための形態】
【０００８】自転車の前方後方から来る、自動車・バイク・歩行者・その他に対して安全のために自転車に方向指示機を取り付ける。
【実施例】
【０００９】自動充電・電子・電子ソーラー・電波・電磁波等の電源装置を自転車に取り付け、左スイッチ・右スイッチ・左前側、右後側指示機・右前側、右後側指示機それらを繋ぐ配線を少なくとも備えた自転車で有って、グリップを離すことなく操作できるのが最大の特徴である。親指で右スイッチを押すと前と後ろの右側のランプが点灯し、左スイッチを押すと前方と後方の左側のランプが点灯し、もう一度押すと消灯する事を特徴とする方向指示機を備えた自転車。
図面に従って実施例を説明する。
１）ハンドルホスト１に自動充電・電子・電子ソーラー・電波・電磁波等の電源装置を自転車に取り付ける。
２）ハンドルポスト１から指示ランプ２Ａ・２Ｂを取り付ける。
３）グリップ４Ａ・４Ｂを握りながら親指で押せる範囲内にスイッチボタン３Ａ・３Ｂを取付ける。
４）右スイッチボタン３Ａを押せば同時に点灯する右前方指示ランプ３Ａと右後方指示ランプ５Ａを取り付ける。
５）左スイッチボタン３Ｂを押せば同時に点灯する左前方指示ランプ２Ｂと左後方指示ランプ５Ｂ取付ける。
６）右のスイッチボタン３Ａを押せば同時に、前方２Ａ・後方５Ａの点灯ランプが作動する。
７）左のスイッチボタン３Ｂを押せば同時に、前方２Ｂ・後方５Ｂの点灯ランプが作動する。【００１０】自転車に取り付けたボタンを親指で押せる距離【００１１】本考案の１例は全方向の人にもよく見えてより安全に走行できる装置である
【符号の説明】
【００１２】１００）自転車
１）１    電源取り付け部
２）２Ａ  右前方指示ランプ
３）２Ｂ  左前方指示ランプ
４）３Ａ  右スイッチボタン
５）３Ｂ  左スイッチボタン
６）４Ａ  右グリップ
７）４Ｂ  左グリップ
８）５Ａ  右後方指示ランプ
９）５Ｂ  左後方指示ランプ
【図１】
0003222819.tif 000003
【図２】
0003222819.tif 000004
【図３】
0003222819.tif 000005
【図４】
0003222819.tif 000006
(57)【要約】      （修正有）【課題】シフォンケーキの金属製焼型の冷却用スタンドを提供する。【解決手段】スタンド台中央丸棒に焼型のパイプ部分を差し込み、このパイプの先端を型支え丸棒の上部面の外周側で支える冷却スタンドで、焼型を差し込んだ時のぐらつきが無く安定感を保つ事が出来、シフォンケーキを製造する際の不手際を無くす事が出来る。型支え丸棒３は大きな焼型やミニ焼型までオプションなしで多種の型に対応可能な形状になり、また差し込んでからの移動も指先二本で持ち運びが出来、効率よく作業出来る。【選択図】図１
0003222817.tif 000002
【実用新案登録請求の範囲】
【請求項１】
焼き上がったホール型シフォンケーキを冷ます冷却スタンドであって、スタンド台とこのスタンド台に固定された型支え丸棒と、この型支え丸棒よりも小径である型支え丸棒に固定された中央丸棒とを備え、前記中央丸棒にホール型のパイプ部分を差し込みこのパイプの先端を型支え丸棒の環状の上端面で支える冷却スタンド。
【考案の詳細な説明】
【技術分野】
【０００１】  本考案は、シフォンケーキの金属製焼型の冷却用スタンドに関するものである。
【背景技術】
【０００２】  シフォンケーキは容器型の焼型本体とこの焼型本体の中央部に配置された中央パイプを有する金属焼型にケーキ生地を収容し、焼型をオーブンに入れてドーナツ状のケーキを焼き上げる。ここで、ケーキを焼き上げてから直ちにケーキを取り出すとシフォンケーキ特有の膨らみが生じない。
シフォンケーキに膨らみを持たせるには、オーブンから取り出した焼型を逆さにしてすなわち焼型の取り出し口側を下にして充分冷却してから取り出す事になる。
従来冷ます際に、瓶やカップの上に逆さまに置くなどしていた。
【考案の概要】
【考案が解決しようとする課題】
【０００５】  シフォンケーキを焼き上がった後冷ます方法として、焼型を逆さまにして焼型の中央パイプの先端を従来は空瓶の口部の外周に嵌めて焼型を保持するようにしているが、焼型を安定して保持することが出来ない。型にも大きさが様々ありその都度瓶などの種類を変えていた。これらを一個の冷却スタンドで調節材の部品等のオプションなしで複数種類の型に兼用出来ることを可能にした。またぐらぐらした不安定さや移動させる時の不便さを解決しようとするものである。
【課題を解決するための手段】
【０００６】  本考案は焼き上がったシフォンケーキの焼型を大きさの大小にかかわらず、安定して冷却の為に保持出来る冷却用スタンドを提供する事を目的とする。この目的を達成するための本考案の冷却用スタンドはシフォンケーキの焼型の冷却用スタンドであって、スタンド台に固定された型支え丸棒とこの型支え丸棒よりも小径であり型支え丸棒に固定された中央丸棒とを備え、前記中央丸棒を焼型の中央パイプに先端側から通し前記型支え丸棒の環状の上端面で焼型の中央パイプの先端を支えるものである。中央丸棒は焼型の中央パイプと同じ程度の長さ又は中央パイプを貫通する長さとする事が出来る。長い中央丸棒によって、焼型は安定して保持出来る。又、型支え丸棒の環状の上端面、すなわち中央丸棒の外周の上端面の幅を広くしておけば、様々な大きさの焼型、さまざまな太さの中央パイプの先端を支えることが出来る。
【考案の効果】
【０００７】  本考案のシフォンケーキ冷却スタンドは１台で複数の型に対応出来るため大きなシフォン型やミニシフォン型まで、オプションなしで多種の型に対応可能になり、また差し込んでからの移動も指先二本で持ち運びが出来、効率よく作業が出来る。また瓶とは違い安定感があり、倒れる心配も無い。シンプルな形状で軽くて使い易く、シフォンケーキスタンドを洗ったり拭いたりが容易に出来、シフォンケーキを製造する際の不手際を無くす事が出来る。
【図面の簡単な説明】
【０００８】
【図１】本考案のシフォンケーキ冷却スタンドの実施形態を示す斜視図である。
【図２】本考案のシフォンケーキ冷却スタンドの部品を分解した立面図である。
【図３】冷却スタンドにシフォンケーキの型を差し込んだ斜視図である。
【図４】冷却スタンドに差し込むシフォンケーキの型を２つの部品で分解して示す斜視図である。
【図５】シフォンケーキの型に具材を流し込んだ時の斜視図である。
【図６】シフォンケーキの型に具材を流し込みオーブンで焼いた後、冷却スタンドに差し込んだ時の斜視図である。
【考案を実施するための形態】
【０００９】  シフォンケーキ冷却スタンドは、型に差し込んだ時、ベースとなる木製台、型支え丸棒、中央丸棒のそれぞれの中心を垂直且つ水平に保つことにより安定し、傾きやぐらつきを解決する。
【００１０】  以下添付図面に従って、実施例を説明する。シフォンケーキ冷却スタンドは図１及び図２に示すように木製台２の上にシフォンケーキの型を支える型支え丸棒３を木製台の裏側からネジ７で固定する。さらに型支え丸棒３の上から中央丸棒４を型支え丸棒３の上部の溝６にさしこみ本考案のシフォンケーキ冷却スタンドの完成品とする。
シフォンケーキの型は図４に示すように型が２つに分かれている。この型を図５に示すように組み合わせ生地１０を流し込みオーブンで焼き上げる。焼き上がった生地１１が縮まないように前記の冷却スタンドの中央丸棒４に上下を逆さにして中央丸棒に差し込む。シフォンケーキの型には複数のサイズがあり、中央丸棒４に型（図６参照）を差し込んだ時、型支え丸棒の上部５（図６参照）がその型を支える。
型支え丸棒３の上部平面の部分を多種の型に対応可能な形状とし、中央丸棒４の太さについても通常の多種の型（パイプの高さ１７０ｍｍまでのパイプ９と前記パイプ９の内径が３２ｍｍ〜４６ｍｍ）に使用可能な長さと太さにする。例外的に特に大きな型の場合には、型に合わせて変更した長さ及び太さのパイプを使用してもよい。
【符号の説明】１  シフォンケーキ冷却スタンド
２  木製台
３  型支え丸棒
４  中央丸棒
５  型支え丸棒の上部
６  型支え丸棒の中央丸棒を差し込む溝
７  ネジ
８  シフォンケーキ型の部品、カップ部
９  シフォンケーキ型の部品、パイプ部
１０シフォンケーキ生地（オーブン焼成前）
１１シフォンケーキ生地（オーブン焼成後）
【図１】
0003222817.tif 000003
【図２】
0003222817.tif 000004
【図３】
0003222817.tif 000005
【図４】
0003222817.tif 000006
【図５】
0003222817.tif 000007
【図６】
0003222817.tif 000008